(57)【特許請求の範囲】
【請求項１】
第１記録媒体再生装置または前記第1記録媒体再生装置とは異なる位置に配置された第２記録媒体再生装置にて再生された映像信号を表示出力する表示部を備えた表示装置であって、
前記第１記録媒体再生装置または前記第２記録媒体再生装置に対する記録媒体の挿入または排出を検出する検出部と、
前記第１記録媒体再生装置への記録媒体の挿入が検出された場合に設定される前記表示部の角度または位置を示す第１の設定情報と、前記第２記録媒体再生装置への記録媒体の挿入が検出された場合に設定される前記表示部の角度または位置を示す前記第１の設定情報とは異なる第２の設定情報と、前記第１記録媒体再生装置または前記第２記録媒体再生装置からの記録媒体の排出が検出された場合に設定される前記表示部の角度または位置を示す第３の設定情報とを記憶する記憶部と、
前記検出部による検出結果に対応する設定情報を前記記憶部から読み出し、読み出された設定情報に基づいて前記表示部の角度または位置を調整すべく前記表示部を駆動制御する駆動制御部と
を備える表示装置。
【請求項２】
前記検出部は、前記第１記録媒体再生装置または前記第２記録媒体再生装置の電源オフをさらに検出し、
前記記憶部は、前記第１記録媒体再生装置または前記第２記録媒体再生装置からの記録媒体の排出が検出された場合、前記第１記録媒体再生装置または前記第２記録媒体再生装置の電源オフが検出された場合に設定される前記第３の設定情報として、前記表示部の収納位置を示す前記表示部の角度または位置を示す設定情報を記憶する
請求項１に記載の表示装置。
【請求項３】
前記映像信号を検出する映像信号検出部をさらに備え、
前記駆動制御部は、
前記映像信号検出部にて前記映像信号を検出しない場合には、前記記憶部に記憶された設定情報に基づく、前記表示部の駆動制御を禁止することを特徴とする請求項１または請求項２に記載の表示装置。
【請求項４】
前記記憶部に記憶された設定情報を調整する調整部をさらに備える請求項１から請求項３のいずれか１つに記載の表示装置。
【請求項５】
前記調整部は、リモコンである請求項４に記載の表示装置。
【発明の詳細な説明】
【０００１】
【発明の属する技術分野】
本発明は、例えばＤＶＤ等の記録媒体を再生するＤＶＤプレーヤ等の記録媒体再生装置と接続し、この記録媒体再生装置にて再生した映像信号を表示出力する表示手段を備えた表示装置に関する。
【０００２】
【従来の技術】
図６は従来の表示装置を使用したリヤエンターテイメントシステムのシステム構成を示す説明図である。
【０００３】
このリヤエンターテイメントシステム１００は、例えば車両１１０のダッシュボードやセンターコンソール等のフロントシート１１１側に配置され、ＤＶＤ１０１を再生するＤＶＤプレーヤ１０２と、車両１１０の天井１１２に配置され、ＤＶＤプレーヤ１０２で再生した映像信号を表示出力するＬＣＤ１０３を有するディスプレイユニット１０４とを備えている。
【０００４】
ディスプレイユニット１０４は、スラント機構を通じてＬＣＤ１０３の角度及び位置を可変調整することで、リヤシート１１３側のユーザは、手動でＬＣＤ１０３の表示画面を所望の角度及び位置に設定することができる。
【０００５】
このようにリヤエンターテイメントシステム１００によれば、ＬＣＤ１０３の角度及び位置を手動で可変調整することができ、しかも、ＤＶＤプレーヤ１０２で再生した映像信号をＬＣＤ１０３に表示出力することができる。
【０００６】
【発明が解決しようとする課題】
しかしながら、上記従来の表示装置を使用したリヤエンターテイメントシステム１００によれば、ＬＣＤ１０３を使用する度に、そのＬＣＤ１０３の角度及び位置等を手動で可変調整する必要があるため、その可変調整作業は非常に煩わしい。
【０００７】
本発明は上記点に鑑みてなされたものであり、その目的とするところは、ＬＣＤを使用する度に可変調整作業を行う煩わしさを解消し、ひいては、その操作性に優れた表示装置を提供することにある。
【０００８】
【課題を解決するための手段】
上記目的を達成するために本発明の表示装置は、記録媒体を再生する記録媒体再生装置と接続し、この記録媒体再生装置にて再生した映像信号を表示出力する表示手段を備えた表示装置であって、前記記録媒体再生装置に対する記録媒体の挿入又は排出を検出する挿排検出手段と、この挿排検出手段の検出結果に対応した、前記表示手段の設定情報を記憶する記憶手段と、前記挿排検出手段の検出結果に基づいて、この検出結果に対応した設定情報を前記記憶手段から読み出し、この設定情報に基づいて、前記表示手段を駆動制御する駆動制御手段とを有するようにした。
【０００９】
従って、本発明の表示装置によれば、記録媒体再生装置に対する記録媒体の挿入又は排出に対応した、表示手段の角度や位置等といった設定情報を記憶手段に記憶しておき、挿排検出手段の検出結果に基づいて、この検出結果に対応した設定情報を記憶手段から読み出し、この設定情報に基づいて、前記表示手段を駆動制御するようにしたので、表示手段を使用する度に、その可変調整作業を行う必要はなく、その操作性を著しく向上させることができる。
【００１０】
また、上記目的を達成するために本発明の表示装置は、記録媒体を再生する複数の記録媒体再生装置と接続し、各記録媒体再生装置にて再生した映像信号を表示出力する表示手段を備えた表示装置であって、前記記録媒体再生装置に対する記録媒体の挿入又は排出を、前記記録媒体再生装置毎に検出する挿排検出手段と、この挿排検出手段による記録媒体再生装置毎の検出結果に対応した、前記表示手段の設定情報を記憶する記憶手段と、前記挿排検出手段の検出結果に基づいて、この検出結果に対応した設定情報を前記記憶手段から読み出し、この設定情報に基づいて、前記表示手段を駆動制御する駆動制御手段とを有するようにした。
【００１１】
従って、本発明の表示装置によれば、複数の記録媒体再生装置と接続したとしても、記録媒体再生装置に対する挿入又は排出に対応した、表示手段の設定情報を記録媒体再生装置毎に記憶手段に記憶しておき、挿排検出手段による記録媒体再生装置毎の検出結果に対応した設定情報を記憶手段から読み出し、この設定情報に基づいて、表示手段を駆動制御するようにしたので、記録媒体再生装置毎に表示手段の設定情報が異なったとしても、表示手段を使用する度に可変調整作業を行う必要はなく、その操作性を著しく向上させることができる。
【００１２】
また、本発明の表示装置は、前記記録媒体再生装置からの映像信号を検出する映像信号検出手段を有し、前記駆動制御手段は、前記映像信号検出手段にて映像信号を検出しない場合には、前記設定情報に基づく、前記表示手段の駆動制御を禁止するようにした。
【００１３】
従って、本発明の表示装置によれば、記録媒体再生装置からの映像信号を検出しない場合には、前記設定情報に基づく、前記表示手段の駆動制御を禁止するようにしたので、記録媒体再生装置の再生時においてのみ、表示手段を駆動制御することができる。
【００１４】
また、本発明の表示装置は、前記表示手段の設定情報を調整する調整手段を有するようにした。
【００１５】
従って、本発明の表示装置によれば、表示手段の設定情報を調整し、その調整した設定情報を記憶手段に記憶することができる。
【００１６】
また、本発明の表示装置は、調整手段がリモコンとした。
【００１７】
従って、本発明の表示装置によれば、表示手段の設定情報を遠隔操作で調整することができる。
【００１８】
【発明の実施の形態】
以下、図面に基づいて本発明の表示装置における実施の形態を示すリヤエンターテイメントシステムについて説明する。図１は本実施の形態を示すリヤエンターテイメントシステムの概略構成を示す説明図である。
【００１９】
図１に示すリヤエンターテイメントシステム１は、例えば車両１１０のコンソールボックス若しくはダッシュボード等のフロントシート１１１側に配置され、ＤＶＤ１０１を再生するＤＶＤプレーヤ１０と、車両１１０の天井１１２等に配置され、このＤＶＤプレーヤ１０で再生した映像信号を表示出力するＬＣＤ２１を備えたディスプレイユニット２０とを有している。
【００２０】
図２は本実施の形態に示すリヤエンターテイメントシステム１内部の概略構成を示すブロック図である。
【００２１】
図２においてＤＶＤプレーヤ１０は、ＤＶＤ１０１のローディング若しくはイジェクトを検出するディスクローディング／イジェクト検出部１１と、ローディングしたＤＶＤ１０１を再生するディスクドライブ１２と、このディスクドライブ１２で再生した再生信号をＭＰＥＧデコードするＭＰＥＧデコーダ１３と、ＭＰＥＧデコードした再生信号を映像信号にエンコードするビデオエンコーダ１４と、このＤＶＤプレーヤ１０の電源供給を検出する電源検出部１５と、このＤＶＤプレーヤ１０全体を制御するコントロールマイコン１６とを有している。
【００２２】
図２においてディスプレイユニット２０は、ＤＶＤプレーヤ１０からの映像信号を表示出力するＬＣＤ２１と、このＬＣＤ２１の角度や位置等を機械的に調節するスラント機構２２と、このスラント機構２２を駆動させるスラント機構ドライブ２３と、様々な情報を記憶するメモリ２４と、ＤＶＤプレーヤ１０からの映像信号を検出する映像信号検出部２５と、ユーザ操作でＬＣＤ２１の角度や位置等の角度設定情報を可変調整する調整部２６と、ユーザ操作による赤外線リモコン３１から、ＬＣＤ２１の角度設定情報を可変調整する調整信号を受光する受光部２７と、このディスプレイユニット２０全体を制御する駆動制御部２８とを有している。
【００２３】
メモリ２４は、ディスクローディング／イジェクト検出部１１の検出結果に対応したＬＣＤ２１の角度設定情報、例えばディスクローディング時に設定すべきＬＣＤ２１の角度設定情報や、ディスクイジェクト時や電源ＯＦＦ時に設定すべきＬＣＤ２１の角度設定情報等を記憶している。
【００２４】
尚、ディスクローディング時に設定すべきＬＣＤ２１の角度設定情報とは、例えばリヤシート１１３側のユーザからＬＣＤ２１の表示画面が見やすいような位置ＸにおけるＬＣＤ２１の角度及び位置に関わる情報であり、ディスクイジェクト時や電源ＯＦＦ時に設定すべきＬＣＤ２１の角度設定情報とは、ＬＣＤ２１の収納位置ＹにおけるＬＣＤ２１の角度や位置に関わる情報である。
【００２５】
駆動制御部２８は、ディスクローディング／イジェクト検出部１１の検出結果に対応した角度設定情報をメモリ２４から読み出し、この角度設定情報に基づいて、ＬＣＤ２１の位置を調整すべく、スラント機構ドライブ２３を駆動制御するようにしている。
【００２６】
尚、請求項記載の記録媒体はＤＶＤ１０１、記録媒体再生装置はＤＶＤプレーヤ１０、表示装置はディスプレイユニット２０、表示手段はＬＣＤ２１、挿排検出手段はディスクローディング／イジェクト検出部１１、記憶手段はメモリ２４、駆動制御手段は駆動制御部２８、映像信号検出手段は映像信号検出部２５、調整手段は調整部２６に相当するものである。
【００２７】
次に本実施の形態に示すリヤエンターテイメントシステム１の動作について説明する。図３は本実施の形態に関わるディスプレイユニット２０のＬＣＤ駆動制御処理に関わる駆動制御部２８の処理動作を示すフローチャートである。
【００２８】
図３に示すＬＣＤ駆動制御処理とは、ＤＶＤプレーヤ１０の動作状態に応じて、ディプレイユニット２０のＬＣＤ２１のスラント機構ドライブ２３を駆動制御する処理である。
【００２９】
図３において駆動制御部２８は、映像信号検出部２５を通じて、ＤＶＤプレーヤ１０からの映像信号を検出したか否かを判定する（ステップＳ１１）。映像信号を検出したのでなければ、ＤＶＤプレーヤ１０のディスクローディング／イジェクト検出部１１を通じて、ディスクローディングを検出したか否かを判定する（ステップＳ１２）。
【００３０】
ディスクローディングを検出したのであれば、メモリ２４に記憶してあるディスクローディング時に設定すべき角度設定情報を読み出し、この角度設定情報に基づいてスラント機構ドライブ２３を駆動制御することで、ユーザが予め設定した所望の角度及び位置にＬＣＤ２１を調整する（ステップＳ１３）。
【００３１】
スラント機構ドライブ２３を角度設定情報に基づいて駆動制御した後、調整部２６からの可変調整操作があるか否かを判定する（ステップＳ１４）。調整部２６による可変調整操作があれば、この可変調整操作による角度設定情報に基づいてスラント機構ドライブ２３を駆動制御し（ステップＳ１５）、この角度設定情報を、ディスクローディング時に設定すべき角度設定情報としてメモリ２４に記憶更新する（ステップＳ１６）。
【００３２】
さらに、駆動制御部２８は、ＤＶＤプレーヤ１０のディスクローディング／イジェクト検出部１１を通じて、ディスクイジェクトを検出したか否かを判定する（ステップＳ１７）。ディスクイジェクトを検出したのであれば、メモリ２４に記憶してあるディスクイジェクト時に設定すべき角度設定情報を読み出し、この角度設定情報に基づいてスラント機構ドライブ２３を駆動制御することで、ＬＣＤ２１を収納位置Ｙに戻す（ステップＳ１８）。
【００３３】
このＬＣＤ２１を収納位置に戻した後、駆動制御部２８は、電源検出部１５を通じて電源がＯＦＦしたか否かを判定する（ステップＳ１９）。電源がＯＦＦしたのであれば、ＬＣＤ２１が収納位置にあるか否かを判定する（ステップＳ２０）。ＬＣＤ２１が収納位置にあるのであれば、この処理動作を終了する。
【００３４】
また、ＬＣＤ２１が収納位置になければ、電源ＯＦＦ時に設定すべき角度設定情報をメモリ２４から読み出し、この角度設定情報に基づいてスラント機構ドライブ２３を駆動制御することで、ＬＣＤ２１を収納位置Ｙに戻し（ステップＳ２１）、この処理動作を終了する。
【００３５】
また、ステップＳ１１にて映像信号を検出したのであれば、ディスクローディング時に設定すべき角度設定情報をメモリ２４から読み出し、この角度設定情報に基づいてスラント機構ドライブ２３を駆動制御すべく、ステップＳ１３に移行する。
【００３６】
また、ステップＳ１２にてディスクローディングを検出したのでなければ、調整部２６による可変調整操作があったか否かを判定すべく、ステップＳ１４に移行する。
【００３７】
ステップＳ１４にて可変調整操作がなければ、ディスクイジェクトを検出したか否かを判定すべく、ステップＳ１７に移行する。
【００３８】
ステップＳ１７にてディスクイジェクトを検出したのでなければ、電源がＯＦＦしたか否かを判定すべく、ステップＳ１９に移行する。
【００３９】
ステップＳ１９にて電源がＯＦＦしたのでなければ、ステップＳ１１に移行する。
【００４０】
本実施の形態によれば、ＤＶＤプレーヤ１０に対するＤＶＤ１０１のローディング又はイジェクトに対応した、ＬＣＤ２１の角度設定情報をメモリ２４に予め記憶しておき、ディスクローディング時においては、そのディスクローディング時に設定すべき角度設定情報をメモリ２４から読み出し、この角度設定情報に基づいてスラント機構ドライブ２３を駆動制御すると共に、ディスクイジェクト時や電源ＯＦＦ時においては、そのディスクイジェクト時や電源ＯＦＦ時に設定すべき角度設定情報をメモリ２４から読み出し、この角度設定情報に基づいてスラント機構ドライブ２３を駆動制御するようにしたので、ＤＶＤプレーヤ１０の動作に応じてＬＣＤ２１を使用する度に、その可変調整作業を行う必要はなく、その操作性を著しく向上させることができる。
【００４１】
また、上記実施の形態においては、単一のＤＶＤプレーヤ１０と単一のディスプレイユニット２０とを接続したリヤエンターテイメントシステム１について説明したが、単一のディスプレイユニット２０に複数の、例えば２台のＤＶＤプレーヤ１０とを接続するリヤエンターテイメントシステムについて説明する。図４は他の実施の形態に示すリヤエンターテイメントシステムの概略構成を示す説明図である。尚、図２に示すリヤエンターテイメントシステム１と同一の構成については同一符号を付すことで、その重複する構成及び動作の説明については省略する。
【００４２】
図４に示すリヤエンターテイメントシステム２は、例えばワンボックス車１１０Ａでセカンドシート１１４に第１ＤＶＤプレーヤ１０Ａ、サードシート１１５に第２ＤＶＤプレーヤ１０Ｂを配置し、これら第１ＤＶＤプレーヤ１０Ａ若しくは第２ＤＶＤプレーヤ１０Ｂで再生した映像信号を天井１１２に配置したディスプレイユニット２０のＬＣＤ２１に表示出力させるものであり、その第１ＤＶＤプレーヤ１０Ａ及び第２ＤＶＤプレーヤ１０Ｂの内部構成は図２に示すＤＶＤプレーヤ１０とほぼ同一である。
【００４３】
ディスプレイユニット２０のメモリ２４には、第１ＤＶＤプレーヤ１０Ａのディスクローディング時に設定すべき角度設定情報と、第２ＤＶＤプレーヤ１０Ｂのディスクローディング時に設定すべき角度設定情報と、第１ＤＶＤプレーヤ１０Ａ及び第２ＤＶＤプレーヤ１０Ｂのディスクイジェクト時や電源ＯＦＦ時に設定すべき角度設定情報とが予め記憶されているものとする。
【００４４】
尚、第１ＤＶＤプレーヤ１０Ａのディスクローディング時に設定すべき角度設定情報とは、例えばセカンドシート１１４のユーザからＬＣＤ２１の表示画面が見やすいようなＬＣＤ２１の角度及び位置に関わる情報であり、第２ＤＶＤプレーヤ１０Ｂのディスクローディング時に設定すべき角度設定情報とは、例えばサードシートのユーザからＬＣＤ２１の表示画面が見やすいようなＬＣＤ２１の角度や位置に関わる情報であり、第１ＤＶＤプレーヤ１０Ａ及び第２ＤＶＤプレーヤ１０Ｂのディスクイジェクト時や電源ＯＦＦ時に設定すべき角度設定情報とは、例えばＬＣＤ２１の収納位置ＹでのＬＣＤ２１の角度や位置に関わる情報である。
【００４５】
次に他の実施の形態に示すリヤエンターテイメントシステム２の動作について説明する。図５は他の実施の形態に関わるディスプレイユニット２０のＬＣＤ駆動制御処理に関わる駆動制御部２８の処理動作を示すフローチャートである。
【００４６】
図５に示すＬＣＤ駆動制御処理とは、２台のＤＶＤプレーヤ１０Ａ，１０Ｂの動作状態に応じて、ディスプレイユニット２０のＬＣＤ２１のスラント機構ドライブ２３を駆動制御する処理である。
【００４７】
図５において駆動制御部２８は、映像信号検出部２５を通じて、第１ＤＶＤプレーヤ１０Ａ若しくは第２ＤＶＤプレーヤ１０Ｂからの映像信号を検出したか否かを判定する（ステップＳ３１）。映像信号を検出したのでなければ、第１ＤＶＤプレーヤ１０Ａ若しくは第２ＤＶＤプレーヤ１０Ｂのディスクローディング／イジェクト検出部１１を通じて、ディスクローディングを検出したか否かを判定する（ステップＳ３２）。
【００４８】
ディスクローディングを検出したのであれば、現在動作中のＤＶＤプレーヤ１０が第１ＤＶＤプレーヤ１０Ａであるか否かを判定する（ステップＳ３３）。第１ＤＶＤプレーヤ１０Ａであれば、メモリ２４に記憶してある第１ＤＶＤプレーヤ１０Ａのディスクローディング時に設定すべき角度設定情報を読み出し、この角度設定情報に基づいてスラント機構ドライブ２３を駆動制御することで、ユーザが予め設定した所望の位置及び角度にＬＣＤ２１を調整する（ステップＳ３４）。
【００４９】
スラント機構ドライブ２３を角度設定情報に基づいて駆動制御した後、調整部２６からの可変調整操作があるか否かを判定する（ステップＳ３５）。調整部２６からの可変調整操作があれば、この可変調整操作による角度設定情報に基づいてスラント機構ドライブ２３を駆動制御することで、ＬＣＤ２１を調整する（ステップＳ３６）。
【００５０】
さらに、この可変調整操作があったＤＶＤプレーヤ１０が第１ＤＶＤプレーヤ１０Ａであるか否かを判定する（ステップＳ３７）。第１ＤＶＤプレーヤ１０Ａであれば、この角度設定情報を、第１ＤＶＤプレーヤ１０Ａのディスクローディング時に設定すべき角度設定情報としてメモリ２４に記憶更新する（ステップＳ３８）。
【００５１】
さらに、駆動制御部２８は、第１ＤＶＤプレーヤ１０Ａ若しくは第２ＤＶＤプレーヤ１０Ｂのディスクローディング／イジェクト検出部１１を通じて、ディスクイジェクトを検出したか否かを判定する（ステップＳ３９）。ディスクイジェクトを検出したのであれば、メモリ２４に記憶してあるディスクイジェクト時に設定すべきＬＣＤ２１の角度設定情報を読み出し、この角度設定情報に基づいてスラント機構ドライブ２３を駆動制御することで、ＬＣＤ２１を収納位置Ｙに戻す（ステップＳ４０）。
【００５２】
このＬＣＤ２１を収納位置Ｙに戻した後、駆動制御部２８は、電源検出部１５を通じて、電源がＯＦＦしたか否かを判定する（ステップＳ４１）。電源がＯＦＦしたのであれば、ＬＣＤ２１が収納位置Ｙにあるか否かを判定する（ステップＳ４２）。ＬＣＤ２１が収納位置Ｙにあるのであれば、この処理動作を終了する。
【００５３】
また、ＬＣＤ２１が収納位置Ｙになければ、電源ＯＦＦ時に設定すべき角度設定情報をメモリ２４から読み出し、この角度設定情報に基づいてスラント機構ドライブ２３を駆動制御することで、ＬＣＤ２１を収納位置Ｙに戻し（ステップＳ４３）、この処理動作を終了する。
【００５４】
また、ステップＳ３３にて第１ＤＶＤプレーヤ１０Ａでなければ、第２ＤＶＤプレーヤ１０Ｂであると判断し、メモリ２４に記憶してある第２ＤＶＤプレーヤ１０Ｂのディスクローディング時に設定すべき角度設定情報を読み出し、この角度設定情報に基づいてスラント機構ドライブ２３を駆動制御することで、ユーザが予め設定した所望の位置及び角度にＬＣＤ２１を調整し（ステップＳ４４）、ステップＳ３５に移行する。
【００５５】
また、ステップＳ３７にて第１ＤＶＤプレーヤ１０Ａでなければ、第２ＤＶＤプレーヤ１０Ｂであると判断し、ステップＳ３６で設定した角度設定情報を、第２ＤＶＤプレーヤ１０Ｂのディスクローディング時に設定すべき角度設定情報としてメモリ２４に記憶更新する（ステップＳ４５）。
【００５６】
また、ステップＳ３１にて映像信号を検出したのであれば、現在動作中のＤＶＤプレーヤ１０が第１ＤＶＤプレーヤ１０Ａであるか否かを判断すべく、ステップＳ３３に移行する。
【００５７】
また、ステップＳ３２にてディスクローディングを検出したのでなければ、調整部２６からの可変調整操作があったか否かを判定すべく、ステップＳ３５に移行する。
【００５８】
ステップＳ３５にて可変調整操作がなければ、ディスクイジェクトを検出したか否かを判定すべく、ステップＳ３９に移行する。
【００５９】
ステップＳ３９にてディスクイジェクトを検出したのでなければ、電源がＯＦＦとなったか否かを判定すべく、ステップＳ４１に移行する。
【００６０】
ステップＳ４１にて電源がＯＦＦしたのでなければ、ステップＳ３１に移行する。
【００６１】
他の実施の形態によれば、第１ＤＶＤプレーヤ１０Ａ及び第２ＤＶＤプレーヤ１０Ｂに対するＤＶＤ１０１のローディング又はイジェクトに対応した、ＬＣＤ２１の角度設定情報をメモリ２４に記憶しておき、第１ＤＶＤプレーヤ１０Ａ（第２ＤＶＤプレーヤ１０Ｂ）のディスクローディング時においては、そのディスクローディング時に設定すべき角度設定情報をメモリ２４から読み出し、この角度設定情報に基づいてスラント機構ドライブ２３を駆動制御すると共に、第１ＤＶＤプレーヤ１０Ａ（第２ＤＶＤプレーヤ１０Ｂ）のディスクイジェクト時や電源ＯＦＦ時においては、このディスクイジェクト時や電源ＯＦＦ時に設定すべき角度設定情報をメモリ２４から読み出し、この角度設定情報に基づいてスラント機構ドライブ２３を駆動制御するようにしたので、ＤＶＤプレーヤ１０毎にＬＣＤの角度設定情報が異なったとしても、ＤＶＤプレーヤ１０の動作に応じてＬＣＤ２１を使用する度に可変調整作業を行う必要はなく、その操作性を著しく向上させることができる。
【００６２】
【発明の効果】
上記のように構成された本発明の表示装置によれば、記録媒体再生装置に対する記録媒体の挿入又は排出に対応した、表示手段の角度や位置等といった設定情報を記憶手段に記憶しておき、挿排検出手段の検出結果に基づいて、この検出結果に対応した設定情報を記憶手段から読み出し、この設定情報に基づいて、前記表示手段を駆動制御するようにしたので、表示手段を使用する度に、その可変調整作業を行う必要はなく、その操作性を著しく向上させることができる。
【００６３】
また、本発明の表示装置によれば、複数の記録媒体再生装置と接続したとしても、記録媒体再生装置に対する挿入又は排出に対応した、表示手段の設定情報を記録媒体再生装置毎に記憶手段に記憶しておき、挿排検出手段による記録媒体再生装置毎の検出結果に対応した設定情報を記憶手段から読み出し、この設定情報に基づいて、表示手段を駆動制御するようにしたので、記録媒体再生装置毎に表示手段の設定情報が異なったとしても、表示手段を使用する度に可変調整作業を行う必要はなく、その操作性を著しく向上させることができる。
【図面の簡単な説明】
【図１】本発明の表示装置における実施の形態を示すリヤエンターテイメントシステムの概略構成を示すブロック図である。
【図２】本実施の形態を示すリヤエンターテイメントシステム内部の概略構成を示すブロック図である。
【図３】本実施の形態に関わるディスプレイユニットのＬＣＤ駆動制御処理に関わる駆動制御部の処理動作を示すフローチャートである。
【図４】他の実施の形態を示すリヤエンターテイメントシステムの概略構成を示すブロック図である。
【図５】他の実施の形態に関わるディスプレイユニットのＬＣＤ駆動制御処理に関わる駆動制御部の処理動作を示すフローチャートである。
【図６】従来技術の表示装置を使用したリヤエンターテイメントシステムの概略構成を示すブロック図である。
【符号の説明】
１０  ＤＶＤプレーヤ（記録媒体再生装置）
１０Ａ  第１ＤＶＤプレーヤ（記録媒体再生装置）
１０Ｂ  第２ＤＶＤプレーヤ（記録媒体再生装置）
１１  ディスクローディング／イジェクト検出部（挿排検出手段）
２０  ディスプレイユニット（表示装置）
２１  ＬＣＤ（表示手段）
２４  メモリ（記憶手段）
２５  映像信号検出部（映像信号検出手段）
２６  調整部（調整手段）
２８  駆動制御部（駆動制御手段）
１０１  ＤＶＤ（記録媒体）
【図１】
0004607362.tif 000002
【図２】
0004607362.tif 000003
【図３】
0004607362.tif 000004
【図４】
0004607362.tif 000005
【図５】
0004607362.tif 000006
【図６】
0004607362.tif 000007